(57)【要約】【課題】オートブラケッティング撮影時の画像のヒストグラムを用意に比較できるように重ねて表示する。【解決手段】・露出をかえて撮影された一連の複数画像のヒストグラムを同一画面に重ねて表示する。・複数のヒストグラムは折れ線グラフとして表示する。【選択図】　　　　図１
2004080558.tif 000002
【特許請求の範囲】
【請求項１】
少なくとも被写体像を結像させる撮像光学系と、
被写体像を光電変換する撮像素子と、
前記撮像素子の出力を処理して所定の画像信号に変換すると共に撮像画像の露光情報を抽出する機能を有する信号処理手段と、
前記信号処理手段より出力された画像信号を記録するための記録手段と、
前記撮像素子への露光量を制限するための露光量制限手段と、
前記露光量制限手段を制御する制御手段と、
撮影された画像の輝度ヒストグラムを表示するための表示手段と、
前記制御手段において露光制御手段の制御量を段階的に制御しつつ複数の画像を撮影する段階露光撮影モードを有する静止画撮像装置において、
前記段階露光撮影モードにおいては前記表示手段に複数の画像の輝度ヒストグラムを重畳表示することを特徴とする静止画撮像装置。
【発明の詳細な説明】
【０００１】
【発明の属する技術分野】
本発明は光電変換素子を用いて画像を電子情報に変換する静止画撮像装置に関し、特に撮影画像の輝度ヒストグラムを表示する表示手段と、段階露光モードを有する静止画撮像装置に関する。
【０００２】
【従来の技術】
従来より携帯型の静止画撮像装置としていわゆるディジタルカメラが知られている。
【０００３】
この種の静止画撮像装置では撮影した画像および、当該画像の輝度ヒストグラムを表示する表示手段を備えており、撮影後に露出が適正であったかなどの確認が容易にできるようになっている。図３は従来の静止画撮像装置において撮影画像の輝度ヒストグラムを表示した際の表示画面を示したものであり、図に示すように画面左には撮影画像を、画面下には撮影情報が示されており、画面右に輝度ヒストグラムが表示され露光レベルが判断できるようになっている。
【０００４】
また、この種の静止画撮影装置に用いられている撮像素子は従来用いられてきた銀円フィルムと比べてラチチュードが狭いため段階的に露光量を変化させて複数枚の画像を撮影する段階露光モードが有効に活用されている。
【０００５】
【発明が解決しようとする課題】
しかしながら、上述従来の静止画撮影装置では、撮影した画像それぞれの輝度ヒストグラムを個別に表示していたため一連の段階露光撮影時にどの画像の露光レベルが適正であるかを容易に判別することが出来なかった。このためメモリーカード等の記録手段の残量が少ない場合などに適正露光以外の画像を消去したい場合などには煩雑な操作を必要としていた。
【０００６】
本発明は上述従来例の有する課題に鑑みてなされたものであり、段階露光モードにて複数の画像を撮影した際にもどの画像の露光レベルが適正であるかを容易に判別することの出来る静止画撮影装置を提供することを目的とする。
【０００７】
【課題を解決するための手段】
上述従来例の課題を解決するために本発明においては前記段階露光撮影モードにおいては前記表示手段に複数の画像の輝度ヒストグラムを重畳表示する。
【０００８】
【発明の実施の形態】
図１は本発明の実施例の静止画撮像装置の構成を示すブロック図であり、図１において１は撮像光学系、２はシャッター、３は撮像素子、４は信号処理回路、５は撮像装置本体と着脱自在なメモリーカード、６はマイクロプロセッサー、７はボタンおよびダイヤルからなる入力手段、８はカラー液晶パネルを用いた表示手段である。また撮像光学系１中には絞り９が備えられている。
【０００９】
図に従って動作を説明する。撮像光学系１によって撮像素子３上に結像せしめた不図示の被写体像は制御手段として動作するマイクロプロセッサー６からの制御信号によって開口が制御される絞り９によって光束が制限され、さらにマイクロプロセッサー６からの制御信号によって動作するシャッター２が開いている時間だけ撮像素子３において蓄積され、光電変換され電気信号に変換される。撮像素子３より出力された信号は信号処理回路４において所定の処理を施され各種フォーマットに則った画像信号に変換された後メモリーカード５に記録されるとともに、前記画像信号を縮小したものが、前記画像信号の輝度ヒストグラムおよび各種撮影情報とともに表示手段８に表示される。この一連の動作は入力手段７に含まれるレリーズボタンの押し下げ動作によって開始される。
【００１０】
さらに前記入力手段によって段階露光モードが選択されている場合にはシャッター２および絞り９の組み合わせを変えることによって露光量を所定量だけ変化させて複数の画像が撮影される。この際、撮影された複数枚の画像信号は信号処理回路４内部のバッファー用メモリーに蓄積され、一連の段階露光がなされた画像の輝度ヒストグラムが折れ線グラフとして同一の画面に表示される。図２は本実施例にて段階露光モードにて撮影した際の表示画面である。この時、画面左の縮小画像および画面下の撮影情報の各表示は一連の段階露光画像の第一番目の画像を表示しており、なおかつ画面右の輝度ヒストグラムにおいては同じく第一番目の画像の輝度ヒストグラムがハイライト表示される。
【００１１】
さらに入力手段７に含まれる画像送りボタンを操作すると縮小画像および撮影情報の表示が第二番目の画像のものに切り替わるとともに、輝度ヒストグラム表示においてハイライト表示される折れ線グラフも第二番目の画像のものに切り替わる。さらに画像送りボタンを操作すれば第三第四の画像を表示し、あるいは画像戻しボタンの操作によって第一番目の画像と言う具合に任意の画像を表示しつつ、各画像の輝度ヒストグラムを比較することによって所望の露光レベルの画像を容易に判別することが可能となる。
【００１２】
さらに本発明の画像記録装置においては上述した操作によって所望露光レベルの画像を判別した後に、やはり入力手段７に含まれる画像選択ボタンの操作によって所望露光レベルの画像のみを選択すると、選択した画像のみがメモリーカード５に記録されるため、メモリーカード５の残容量に余裕が無い場合でも段階露光によって多数の画像を撮影しても必要な画像のみを記録することができる。
【００１３】
また、本発明の画像記録装置においては、メモリーカード上に同一段階露光画像であることを示すマーカーを記録することによって、メモリーカード５の残容量に余裕がある場合は段階露光によって撮影した複数の画像をいったんメモリーカード５に記録した後、一連の画像を同一段階露光時の画像として読み出せるようにしたため、撮影動作を中断することなく段階露光を行い、後に適正露光レベルの画像を容易に選択することも可能である。この際、上述したメモリーカード５への記録前の画像選択と同様に画像送りボタン、画像戻しボタン、画像選択ボタンによって適正露光レベルの画像を選択した後、不要画像消去ボタンの操作によって不要な画像を一括消去できる。
【００１４】
【発明の効果】
以上説明したように本発明においては段階露光撮影モードにおいては表示手段に複数の画像の輝度ヒストグラムを重畳表示することにより、段階露光モードにて撮影した複数の画像の中から適正露光レベルで撮影された画像を容易に判別することができるようになった。
【００１５】
さらに一連の段階露光撮影による複数の画像のうち適正露光レベルと判断できる画像のみをメモリーカードなどの記録手段に記録することによって、記録手段の容量を有効に活用することができるようになった。
【００１６】
また、記録時に一連の段階露光撮影による複数の画像であることを示すマーカーを記録手段上に記録することによって、撮影時には撮影のみに専念し、その後、一連の画像を再生するとともに輝度ヒストグラムを表示手段に重畳表示することによって画像再生時にも一連の段階露光撮影による複数の画像の中から適正露光レベルの画像を容易に選択することができるようになった。
【図面の簡単な説明】
【図１】本発明の実施例の構成を示すブロック図
【図２】本発明の実施例による表示画面を示す図
【図３】従来例による表示画面を示す図
【符号の説明】
１　撮像光学系
２　シャッター
３　撮像素子
４　信号処理回路
５　撮像装置本体と着脱自在なメモリーカード
６　マイクロプロセッサー
７　ボタンおよびダイヤルからなる入力手段
８　カラー液晶パネルを用いた表示手段
９　撮像光学系１中に設けられた絞り
【図１】
2004080558.tif 000003
【図２】
2004080558.tif 000004
【図３】
2004080558.tif 000005